(57)【要約】【課題】多層式反射カップの提供。【解決手段】本考案の多層式反射カップは、ランプ座、絶縁層、主散熱殻、導熱ベース、LEDランプ本体、及び、補助散熱殻からなる。ランプ座外部は、国際規格のジョイントを設置し、内部は電源装置を有し、電源装置と補助散熱殻は、絶縁層により隔絶され、補助散熱殻は、主散熱殻に鎖固され、ランプ座は、更に、補助散熱殻を結合する。必要に応じて多層設置でき、公知のランプの外観を維持しながら、散熱表面積を増加して、多層散熱効果を達成し、LEDランプ本体温度を低下させて、熱蓄積で熱を空気中に伝導できなくなるのを防止し、製作コスト、重量を減少させ、LEDランプ本体の発光効率を増加して、使用寿命を延長する。【選択図】    図２
0003147051.tif 000002
【実用新案登録請求の範囲】
【請求項１】
多層式反射カップであって、ランプ座、絶縁層、主散熱殻、導熱ベース、LEDランプ本体、及び、補助散熱殻からなり、前記ランプ座外部は、国際規格のジョイントを設置し、内部は電源装置を有し、前記電源装置と前記補助散熱殻は、絶縁層により隔絶され、前記補助散熱殻は、前記主散熱殻に鎖固され、前記ランプ座は、更に、前記補助散熱殻を結合し、前記補助散熱殻内に、前記導熱ベースを置入し、前記導熱ベース上に前記LEDランプ本体を設置し、前記主散熱殻を鎖固し、これにより、多層式反射カップは、前記導熱ベースを利用して、前記LEDランプ本体の熱量を前記主散熱殻と前記補助散熱殻に伝導し、更に、前記主散熱殻と前記補助散熱殻により散熱し、前記補助散熱殻は、必要に応じて多層設置でき、公知のランプの外観を維持しながら、散熱表面積を増加して、多層散熱効果を達成し、前記LEDランプ本体温度を低下させて、熱蓄積で熱を空気中に伝導できなくなるのを防止し、製作コスト、重量を減少させ、LEDランプ本体の発光効率を増加して、使用寿命を延長することを特徴とする多層式反射カップ。
【請求項２】
前記主散熱殻と前記補助散熱殻は透孔を設置することを特徴とする請求項１に記載の多層式反射カップ。
【請求項３】
前記主散熱殻と前記補助散熱殻の外部に、更に、多層間隔の補助散熱殻を追加して、前記LEDランプ本体内部のチップ数の増加に伴い、パワーを大きくすることができ、層を増加して、異なる散熱要求を満たすことを特徴とする請求項１に記載の多層式反射カップ。
【請求項４】
前記主散熱殻と前記補助散熱殻の内部に、更に、多層間隔の補助散熱殻を追加して、前記LEDランプ本体内部のチップ数の増加に伴い、パワーを大きくすることができ、層を増加して、異なる散熱要求を満たすことを特徴とする請求項１に記載の多層式反射カップ。
【考案の詳細な説明】
【技術分野】
【０００１】
本考案は、多層式反射カップに関するものであって、特に、導熱ベースを利用し、LEDランプ本体の熱量を主散熱殻と補助散熱殻に伝導し、更に、主散熱殻と補助散熱殻により散熱し、補助散熱殻は、必要に応じて多層設置でき、公知のランプの外観を維持しながら、散熱表面積を増加して、多層散熱効果を達成し、LEDランプ本体温度を低下させて、熱蓄積で熱を空気中に伝導できなくなるのを防止し、製作コスト、重量を減少させ、LEDランプ本体の発光効率を増加して、使用寿命を延長する多層式反射カップに関するものである。
【背景技術】
【０００２】
図１で示されるように、公知のランプ１０は、大電力応用時に生成する高熱を散熱するため、外部に散熱フィレ１００を設計することが必要である。散熱フィレ１００は、アルミ押圧、或いは、型押しで製造され、外観が突飛で、各種造型のランプに適用できず、材料、製造コストが高く、ランプの重量を増加させるという欠点がある。更に、ランプはパワーを増加するため、過熱になり、内封のLEDが損壊しやすい。散熱面積を増大し、外観を大きくしすぎないようにすると、外観造型が公知の既存の形状と大きく異なり、組み合わせ応用ができなくなり、製造加工も煩雑になり、現有のランプ殻と結合できなくなって、使用上不便である。
【考案の開示】
【考案が解決しようとする課題】
【０００３】
本考案の目的は、多層式反射カップを提供し、上述の問題を解決することにある。
【課題を解決するための手段】
【０００４】
本考案の多層式反射カップは、ランプ座、絶縁層、主散熱殻、導熱ベース、LEDランプ本体、及び、補助散熱殻からなる。ランプ座外部は、国際規格のジョイントを設置し、内部は電源装置を有し、電源装置と補助散熱殻は、絶縁層により隔絶され、補助散熱殻は、主散熱殻に鎖固され、ランプ座は、更に、補助散熱殻を結合する。補助散熱殻内に、導熱ベースを置入し、導熱ベース上にLEDランプ本体を設置し、主散熱殻を鎖固する。これにより、多層式反射カップは、導熱ベースを利用して、LEDランプ本体の熱量を主散熱殻と補助散熱殻に伝導し、更に、主散熱殻と補助散熱殻により散熱し、補助散熱殻は、必要に応じて多層設置でき、公知のランプの外観を維持しながら、散熱表面積を増加して、多層散熱効果を達成し、LEDランプ本体温度を低下させて、熱蓄積で熱を空気中に伝導できなくなるのを防止し、製作コスト、重量を減少させ、LEDランプ本体の発光効率を増加して、使用寿命を延長する。
【考案の効果】
【０００５】
本考案の多層式反射カップにより、公知のランプの外観を維持しながら、散熱表面積を増加して、多層散熱効果を達成し、LEDランプ本体温度を低下させて、熱蓄積で熱を空気中に伝導できなくなるのを防止し、製作コスト、重量を減少させ、LEDランプ本体の発光効率を増加して、使用寿命を延長する。
【考案を実施するための最良の形態】
【０００６】
図２〜図４を参照すると、本考案の多層式反射カップは、ランプ座１、絶縁層１３、主散熱殻４、導熱ベース３５、LEDランプ本体３、及び、補助散熱殻２からなる。
【０００７】
ランプ座外部１は、国際規格のジョイント１１を設置し、内部は電源装置１２を有し、電源装置１２と補助散熱殻２は、絶縁層１３により隔絶され、ランプ座１は、複数の孔柱１４、及び、回路板接線１５を露出する。
【０００８】
補助散熱殻２は、前後に貫通した錐体で、底部開口２１は、内折縁２２を有し、内折縁２２上に、複数の相対する接孔２４を有する。
【０００９】
主散熱殻４は、前後に貫通し、尺寸が小さい錐体で、上方開口４１の内折縁４２は、複数の相対する接孔４４を設置する。
【００１０】
LEDランプ本体３は、前方に、導熱がよい金属沈熱体３１を設置し、搭載面３２は、一つ、或いは、それ以上の発光ダイオード（LED）チップ３３を固着し、金属沈熱体３１は円形で、後端は、チップピン３６を延伸する。
【００１１】
導熱ベース３５はLEDランプ本体３を嵌置し、導熱ベース３５上に複数の相対する接孔３４を設置し、導熱ベース３５の中心に円形凹槽３５１を設置し、凹槽３５１内に複数のピン孔３５２を設置し、チップピン３６が貫通して、導熱ベース３５後端に安定して固定される。
【００１２】
図４と図５で示されるように、本考案の多層式反射カップにより構成されるランプは、一般照明ランプ殻の外観を有するだけでなく、内部は、主散熱殻４を光源光波の分布設計とする以外に、主散熱殻４と補助散熱殻２に設置された透孔２０を利用し、空気対流で散熱し、LEDランプ本体３熱量を快速に、主散熱殻４と補助散熱殻２に伝導し、主散熱殻４と補助散熱殻２により散熱し、散熱表面積を増加して、多層散熱効果を達成し、LEDランプ本体３の温度を低下させ、熱蓄積を防止して、LEDランプ本体３の発光効率を向上させて、使用寿命を延長する。
【００１３】
図６で示されるように、本考案の多層式反射カップから構成されるランプは、ランプの外観設計によって、補助散熱殻２の長さを調整し、現有の外観造型を変化させず、且つ、製造組み立てが便利である。
【００１４】
図７で示されるように、本考案の多層式反射カップの全体構造は多層の組み合わせ関係なので、使用上、主散熱殻４と補助散熱殻２の外部、或いは、内部に、更に、多層間隔の補助散熱殻２を追加して、LEDランプ本体３内部のチップ数の増加に伴い、パワーを大きくすることができ、層を増加して、異なる散熱要求を満たすことができる。
【図面の簡単な説明】
【００１５】
【図１】公知のランプ構造の立体外観図である。
【図２】本考案の立体分解図である。
【図３】本考案のもう一つの方向の立体分解図である。
【図４】本考案の立体組み合わせ図である。
【図５】本考案の組み合わせ断面図である。
【図６】本考案のもう一つの実施例の断面図である。
【図７】本考案の層を増加した組み合わせ断面図である。
【符号の説明】
【００１６】
公知のランプ１０
散熱フィレ１００
ランプ座１
補助散熱殻２
LEDランプ本体３
主散熱殻４
ジョイント１１
電源装置１２
絶縁層１３
孔柱１４
回路板接線１５
底部開口２１
内折縁２２
接孔２４
金属沈熱体３１
搭載面３２
発光ダイオード（LED）チップ３３
接孔３４
導熱ベース３５
チップピン３６
開口４１
内折縁４２
接孔４４
円形凹槽３５１
ピン孔３５２
【図１】
0003147051.tif 000003
【図２】
0003147051.tif 000004
【図３】
0003147051.tif 000005
【図４】
0003147051.tif 000006
【図５】
0003147051.tif 000007
【図６】
0003147051.tif 000008
【図７】
0003147051.tif 000009